(57)【要約】【課題】画像読取装置において、アンプのゲインを適切な値に設定しつつ、電源OFFや省電力モードからの復帰時の待ち時間を確実に短縮する。【解決手段】原稿画像を読み取って得たアナログ画像信号を増幅するアンプの増幅率を、白基準板の読取信号に基づいて主電源ON時に設定する。原稿のスキャンごとに、白基準板のデータからシェーディング補正用データを生成して、シェーディング補正を行う。常に最新のシェーディング補正用データのピーク値を保存する。待機モードからの復帰時に、保存してあるピーク値が白レベル目標値と一致するように、アンプのゲインを補正する。機械的動作を行うことなく適切なゲインを再設定でき、待ち時間を短縮できる。【選択図】図１
2008072169.tif 000002
【特許請求の範囲】
【請求項１】
原稿画像を読み取るラインセンサを有する読取手段と、設定されたゲインに従って前記ラインセンサからのアナログ画像信号を増幅するアンプと、電源ＯＮ時に前記アンプのゲインを設定する手段と、前記アンプの出力信号をデジタル信号に変換するＡ／Ｄ変換回路と、前記読取手段を搭載した走行体と、前記走行体の移動路上に配置された読取手段調整用の白基準板と、前記白基準板を前記読取手段で読み取ってシェーディング補正用データを取得する手段とを具備する画像読取装置において、前記シェーディング補正用データのピーク値を保存する手段と、前記ピーク値に基づいて前記アンプのゲインを補正するゲイン補正手段とを備えることを特徴とする画像読取装置。
【請求項２】
前記ゲイン補正手段は、待機状態からの復帰時に前記ゲインを補正する手段であることを特徴とする請求項１の画像読取装置。
【請求項３】
前記ゲイン補正手段は、前記ピーク値が所定範囲から外れた時に前記ゲインを補正する手段であることを特徴とする請求項１の画像読取装置。
【請求項４】
前記ゲイン補正手段は、電源ＯＮからのスキャン回数または電源ＯＮからのランプ総点灯時間が所定値に達した時に前記ゲインを補正する手段であることを特徴とする請求項１の画像読取装置。
【請求項５】
電源ＯＮからのスキャン回数が所定値以下で前記ピーク値が所定範囲から外れた場合に、前記ゲインを補正しないで使用者に装置の異常を通知する手段を備えることを特徴とする請求項１の画像読取装置。
【請求項６】
電源ＯＮからのランプ連続点灯時間が所定値以下で前記ピーク値が所定範囲から外れた場合に、前記ゲインを補正しないで使用者に装置の異常を通知する手段を備えることを特徴とする請求項１の画像読取装置。
【請求項７】
前記ゲイン補正手段は、スキャン開始からのランプ連続点灯時間が所定値に達した時に前記ゲインを補正する手段であることを特徴とする請求項１の画像読取装置。
【請求項８】
前記ゲイン補正手段は、ランプ消灯後から所定時間経過した場合には前回のゲイン補正前のゲインに戻す手段を備えることを特徴とする請求項７の画像読取装置。
【請求項９】
電源ＯＮ時にアンプのゲインを設定し、設定されたゲインに従って前記アンプでアナログ画像信号を増幅し、スキャン時に読取手段調整用の白基準板を読み取ってシェーディング補正用データを取得して前記シェーディング補正用データのピーク値を保存し、待機状態からの復帰時に前記ピーク値に基づいて前記アンプのゲインを補正することを特徴とする画像読取方法。
【請求項１０】
電源ＯＮ時にアンプのゲインを設定し、設定されたゲインに従って前記アンプでアナログ画像信号を増幅し、スキャン時に読取手段調整用の白基準板を読み取ってシェーディング補正用データを取得して前記シェーディング補正用データのピーク値を保存し、前記ピーク値が所定範囲から外れた時に前記ピーク値に基づいて前記アンプのゲインを補正することを特徴とする画像読取方法。
【請求項１１】
電源ＯＮ時にアンプのゲインを設定し、設定されたゲインに従って前記アンプでアナログ画像信号を増幅し、スキャン時に読取手段調整用の白基準板を読み取ってシェーディング補正用データを取得して前記シェーディング補正用データのピーク値を保存し、前記ピーク値が所定範囲から外れた時で、電源ＯＮからのスキャン回数または電源ＯＮからのランプ総点灯時間が所定値に達した時に、前記ピーク値に基づいて前記アンプのゲインを補正することを特徴とする画像読取方法。
【請求項１２】
電源ＯＮ時にアンプのゲインを設定し、設定されたゲインに従って前記アンプでアナログ画像信号を増幅し、スキャン時に読取手段調整用の白基準板を読み取ってシェーディング補正用データを取得して前記シェーディング補正用データのピーク値を保存し、スキャン開始からのランプ連続点灯時間が所定値に達した時に前記ピーク値に基づいて前記アンプのゲインを補正することを特徴とする画像読取方法。
【発明の詳細な説明】
【技術分野】
【０００１】
本発明は、画像読取装置に関し、特に、省エネルギー状態の待機モードがあるスキャナや複写機やファクシミリ等の画像処理装置において複数の線速（ライン周期）で読取動作を行う画像読取装置に関する。
【背景技術】
【０００２】
従来の画像読取装置の概略構成を、図５（ａ）に示す。画像読取装置の上部には、コンタクトガラスと白基準板が配置されている。コンタクトガラスは、原稿を読み取る際にセットするためのものである。図示していないが、原稿がコンタクトガラスから浮かないように、原稿抑えの圧板により上から抑えられる。ADF（自動原稿供給装置）が付いているものもある。白基準板は、シェーディング補正時の補正データを得るために、主走査方向に設けられた均一濃度のほぼ白色の部材である。ファン１とファン２は、吸気もしくは排気を行うファンである。光源で、白基準板あるいはコンタクトガラス面に対して、ある角度で読取面を照射する。白基準板あるいは原稿で反射した光は、３枚のミラーとレンズを経由して、光電変換素子であるCCDに入射する。
【０００３】
光源とミラー１は、図示していない第１キャリッジを構成している。ミラー２とミラー３は、図示していない第２キャリッジを構成している。これらは、読取面とCCDとの間の距離を一定に保ちながら、モータ駆動により副走査方向に移動する。CCDは、入射光量に対応した電圧を、アナログ画像信号として出力する。アナログ画像信号をADC（A/D変換器）によりデジタル画像信号に変換して、所定の処理を行った後に、画像処理部に転送する。
【０００４】
このような画像読取装置において、原稿の読み取りに先立って、ADCのダイナミックレンジを有効に利用するため、白基準板の読取レベルが所定のレベルとなるように、増幅器の増幅率が予め調整される。これを、AGC（オートゲインコントロール）と呼ぶ。画像読取装置の電源投入時に、第１キャリッジを白基準板の読取位置に移動して光源を点灯させる。CCDの出力信号の増幅率（ゲイン）を増減して、白基準板の読取レベルが所定のレベル（白レベル目標値）となるように調整する。複数のラインセンサがある場合、各々のセンサごとにAGCが行われる。AGCが電源ON時に毎回行われるのは、点灯時間に従ってランプの光量が低下しても、ADCのダイナミックレンジを有効に利用できるようにするためである。
【０００５】
また、白基準板は、主走査方向のレベル変動をキャンセルするためのシェーディング補正用データ生成にも使用する。主走査方向のレベル変動の原因には、CCDの感度ムラや、ランプの光量の不均一分布などがある。シェーディング補正用のデータは、画素毎に任意のラインのデータを平均して生成する。
【０００６】
一方、近年においては、環境保護や省エネルギーが課題として取り上げられている。複写機の設計においても、省エネルギーを目標として提唱されているエナジースターやZESMなどの規格に適合させるための努力が続けられている。これらの規格は、省エネルギーを目的とし、待機状態（主電源オン後、使用されない状態が所定の時間経ったときに、一部の電源供給を停止して復帰指令を待つ状態）にある時の消費エネルギーに制限を設けたものである。現在、複写機に設けられている待機時における省エネモードでは、消費電力の大きい定着ヒータや操作パネル等の電源は、オフあるいは低電力運転に切り替えられる。スキャナ部においては、電源を一括してオフされる。一方、待機状態にある複写機を使用する場合は、電源をオン状態に戻したり、低電力運転から通常運転状態に戻したりして、使用可能な状態になるまでユーザーを待たせている。この待ち時間は、ユーザーにとっては実際以上に長く感じられるので、ストレスを与えることになる。
【０００７】
通常、AGCは電源投入時に行われる他、一時的な電源OFF状態から復帰する際にも行われる。よって、電源OFF状態からの復帰時にAGCを行うスキャナ部は、待ち時間の発生部の１つとなっている。また、電源ONのたびにAGCを行う点も、やはり待ち時間の一因となっている。
【０００８】
図５（ｂ）は、スキャナが電源OFFや省電力モードなどから復帰して、電源ONとなった直後に行う調整動作のフローチャートである。電源がONになると、第１キャリッジのホーミング動作が実行される。白基準板の下に第１キャリッジを移動して、ランプを点灯して、白レベル調整（AGC）を行ってゲインを設定する。ランプを消灯して、キャリッジをホームポジションに移動させる。このフローチャートから分かるように、AGCを行うためには、調整アルゴリズム実行時間の他に、白基準板位置へのキャリッジの移動にかかる時間が必要になる。
【０００９】
このような待ち時間を短縮する従来の方法として、特許文献１に開示された方法がある。これは、給電が一部停止される待機状態からの復帰時、再調整を含むために長期化する復帰時間を必要以上に長く掛けず、ユーザーに不快感を与えない画像読取装置である。主電源ON時に調整したゲイン値を保存しておき、給電が一部停止される待機状態からの復帰時、保存された設定値を設定し、得られる画像信号の処理結果により、アンプとオフセット調整回路の特性が所定の適正範囲に入っているか否かを判断する。特性が適正範囲に入っている場合、設定値をそのまま使用して読み取りを実行する。特性が適正範囲を外れた場合、再調整を行う。
【特許文献１】特開2002-77520号公報
【発明の開示】
【発明が解決しようとする課題】
【００１０】
しかし、従来のゲイン設定方法には、次のような問題がある。主電源ON時に調整したゲイン値を、主電源OFFまで使用するので、長時間の点灯でランプの光量が低下した場合、ADCのダイナミックレンジを有効に利用できなくなってしまう。すなわち、ゲイン調整は電源ON時に１回行うだけであるので、長時間電源を入れっぱなしにして使い続けた場合、同じゲインが維持されているので、画像信号のピーク値は低くなってきてしまう。低くなったピーク値のまま読取動作を行うことになるので、本来の白レベル調整の有効性を十分発揮できない。また、ユーザーの使用状況次第では、毎回ゲインを再調整することになってしまい、待ち時間の短縮にならない。
【００１１】
本発明の目的は、上記従来の問題を解決して、画像読取装置において、アンプのゲインを適切に設定しつつ、電源OFFや省電力モードからの復帰時の待ち時間を確実に短縮することである。
【課題を解決するための手段】
【００１２】
上記の課題を解決するために、本発明では、原稿画像を読み取るラインセンサを有する読取手段と、設定されたゲインに従ってラインセンサからのアナログ画像信号を増幅するアンプと、電源ON時にアンプのゲインを設定する手段と、アンプの出力信号をデジタル信号に変換するA/D変換回路と、読取手段を搭載した走行体と、走行体の移動路上に配置された読取手段調整用の白基準板と、白基準板を読取手段で読み取ってシェーディング補正用データを取得する手段とを具備する画像読取装置に、シェーディング補正用データのピーク値を保存する手段と、ピーク値に基づいてアンプのゲインを補正するゲイン補正手段とを備える構成とした。
【００１３】
特に、待機状態からの復帰時にゲインを補正する。または、ピーク値が所定範囲から外れた時にゲインを補正する。あるいは、電源ONからのスキャン回数またはランプ総点灯時間が所定値に達した時にゲインを補正する。または、スキャン開始からのランプ連続点灯時間が所定値に達した時にゲインを補正する。ランプ消灯後から所定時間経過した場合には前回のゲイン補正前のゲインに戻す。電源ONからのスキャン回数が所定値以下でピーク値が所定範囲から外れた場合、電源ONからのランプ連続点灯時間が所定値以下でピーク値が所定範囲から外れた場合、ゲインを補正しないで使用者に装置の異常を通知する。
【発明の効果】
【００１４】
上記のように構成したことにより、ランプの連続点灯による短期的な光量変動を補償しながら、画像読取装置の省電力モードからの復帰時の待ち時間を確実に短縮できるので、画像読取装置が使いやすくなる。
【発明を実施するための最良の形態】
【００１５】
以下、本発明を実施するための最良の形態について、図１〜図４を参照しながら詳細に説明する。
【実施例１】
【００１６】
本発明の実施例１は、読取手段調整用の白基準板から得られたシェーディング補正用データのピーク値を用いて、アンプのゲインを補正する画像読取装置である。
【００１７】
図１は、本発明の実施例１における画像読取装置の動作手順を示すフローチャートである。画像読取装置の基本的な構成は、従来のものと同じである。省電力モードからの復帰時のゲイン調整法が、従来のものと異なる。電源ON時は、従来と同じ通常のゲイン調整が行われる。すなわち、図５に示したフローの処理が実行される。白レベル調整（AGC）は、白基準板のデータのピーク値が、目標とする白レベル目標値になるようにゲインを合わせるアルゴリズムによって行われる。電源ON時にゲイン１倍にて白基準板の出力レベル（画像出力）を取得し、その時の出力レベルに対してゲインを何倍にすれば白レベル目標値になるかを算出して、ゲインを設定する。最初の電源ON時にこのアルゴリズムによって算出されたゲインをG1とする。
【００１８】
一般に、ランプの光量が変動してもADCがオーバーフローしない範囲で、出来るだけADCのダイナミックレンジを広く使用できるように調整が行われる。具体的には、白基準板のADC出力レベルが、光量変動やノイズが最大になった場合でもオーバーフローしないように、白基準坂の出力レベルを決める。このレベルを、白レベル目標値と呼んでいる。白基準板の出力レベルのピーク値が白レベル目標値となるように、アンプのゲインを調整する。白基準板の出力レベルは、ランプの光量だけでなく、何らかの機械のゆがみやレンズの汚れなど、さまざまな理由で低くなる可能性がある。しかし、電源ON時のゲイン１倍の出力レベルから、設定すべきゲインは算出できるので、ランプの経時変化の特性などは、ゲイン補正において直接考慮する必要はない。
【００１９】
図１のフローチャートに沿って、画像読取装置の動作を説明する。ステップ１において、通常の読取動作が開始される。この時設定されているゲインは、最初の主電源ON時に生成されたゲインG1である。ステップ２において、第１キャリッジを移動して白基準板を読み取り、読取基板から画像処理部へとデータが送られる。画像処理部では、白基準板のデータからシェーディング補正用データ（主走査１画素毎に、副走査方向を任意のライン数平均化したデータ）を生成して、原稿領域のデータに対してシェーディング補正が行われる。ステップ３において、原稿領域の画像が読み取られ、読取基板から画像処理部へとデータが送られる。ステップ４において、スキャンの終了処理がされる。
【００２０】
ステップ５において、先ほどシェーディング補正で使用したシェーディング補正用データのピークレベル（最大値）を、画像処理部にて検出し保存する。これを単にピーク値とよぶ。保存されたピーク値をDpとする。スキャンを何回も行う場合は、ゲインはG1のまま、ステップ２〜３の動作が繰り返し行われるが、ピーク値Dpは、常に最新のスキャンで使用されたシェーディング補正データのピーク値を上書き保存する。画像読取装置が一定時間使用されない場合、ステップ６において、一部の電源供給を停止して復帰指令を待つ待機モードに移行する。この時、スキャナ部の電源は一括してオフされる。
【００２１】
ステップ７において、復帰指令によって電源が再びONされると、最初の電源ON時と同様に、ステップ８において、第１キャリッジのホーミング動作が実行される。このあと、従来の画像読取装置では、白基準板の下に第１キャリッジを移動して、AGCを実行してゲインを設定するが、本発明では、ホーミング動作後、次のステップ９に示す簡単な計算で、即座にゲインを設定することが可能である。ホーミング動作中に並列にステップ９の計算が行える場合には、ホーミング動作終了後直ちにスキャナの使用が可能な状態になる。
【００２２】
ステップ９において、復帰指令後のゲイン設定は、以下の計算式から算出されるゲインを設定する。
G1：電源OFF時に設定されていたゲイン
G2：電源ON（復帰）後に新たに設定されるゲイン
Dt：白レベル目標値
Dp：保存されているピーク値
G2＝G1×Dt÷Dp
ゲインをこのように設定することで、補正後のピーク値は、白レベル目標値と同じになる。
【００２３】
この後、再び待機モードに移行するまでは、G2のゲインを用いて読取動作を行う。再び待機モードに移行して復帰する場合は、同様の動作でゲイン設定を行う。ランプの光量低下などに伴って低くなったピーク値に基づいて、待機モード復帰後のゲイン補正を行うことで、ピーク値が白レベル目標値になる適切なゲインを、わざわざ再び白基準板を読みに行くことなしに得ることができる。
【００２４】
上記のように、本発明の実施例１では、画像読取装置を、読取手段調整用の白基準板から得られたシェーディング補正用データのピーク値を用いて、アンプのゲインを補正する構成としたので、アンプのゲインを適切な値に設定しつつ省電力モードからの復帰時の待ち時間を短縮できる。
【実施例２】
【００２５】
本発明の実施例２は、ピーク値が下限レベルと上限レベルの間に入っていない場合、計算で求めたゲインを設定してスキャン待ち状態となる画像読取装置である。
【００２６】
電源ON時は、従来と同じ通常のゲイン調整が行われる。スキャン終了時にピーク値を調べて、所定範囲から外れていたらゲイン補正を行う。図２のフローチャートに沿って、画像読取装置の動作を説明する。ステップ11において、通常の読取動作が開始される。ステップ12〜14において、第１キャリッジが移動して、白基準板、原稿の順に読み取りが行われ、読取基板から画像処理部へとデータが送られる。画像処理部では、白基準板のデータからシェーディング補正用データを生成して、原稿領域のデータに対してシェーディング補正が行われる。
【００２７】
ステップ15において、先ほどシェーディング補正で使用したシェーディング補正用データのピークレベル（最大値）を、画像処理部にて検出し保存する。保存されたピーク値をDpとする。ピーク値Dpは常に最新のスキャンで使用されたシェーディング補正用データのピーク値を上書き保存する。ステップ16において、保存したピーク値Dpが下限レベルと上限レベルの間に入っているか否かを判定する。入っている場合は、ゲイン値は変更せずに、次のスキャン待ち状態となる。下限レベルと上限レベルは、白レベル目標値とピーク値との差が画質に影響するか否かなどに応じて適宜決定する。
【００２８】
ステップ17において、ステップ16にてピーク値Dpが下限レベルと上限レベルの間に入っていなかった場合、以下の計算式から算出されるゲインを設定し、次のスキャン待ち状態となる。
G1：前回の読取時に設定されていたゲイン
G2：新たに設定されるゲイン
Dt：白レベル目標値
Dp：保存されているピーク値
G2＝G1×Dt÷Dp
【００２９】
上記のように、本発明の実施例２では、画像読取装置を、ピーク値が下限レベルと上限レベルの間に入っていない場合、計算で求めたゲインを設定してスキャン待ち状態とする構成としたので、アンプのゲインを常に適切な値に設定できる。
【実施例３】
【００３０】
本発明の実施例３は、ピーク値が下限レベルと上限レベルの間に入っていなかった場合で、電源ON時からのスキャン回数があらかじめ設定しておいた閾値以上であった場合、計算で求めたゲインを設定してスキャン待ち状態とする画像読取装置である。
【００３１】
電源ON時は、従来と同じ通常のゲイン調整が行われる。スキャン終了時にピーク値を調べて、所定範囲から外れていてスキャン回数が所定回数を超えていたらゲイン補正を行う。図３のフローチャートに沿って、画像読取装置の動作を説明する。ステップ21において、通常の読取動作が開始される。ステップ22〜24において、第１キャリッジが移動して、白基準板、原稿の順に読み取りが行われ、読取基板から画像処理部へとデータが送られる。画像処理部では、白基準板のデータからシェーディング補正用データを生成して、原稿領域のデータに対してシェーディング補正が行われる。
【００３２】
ステップ25において、先ほどシェーディング補正で使用したシェーディング補正用データのピークレベル（最大値）を画像処理部にて検出し保存する。保存されたピーク値をDpとする。ピーク値Dpは常に最新のスキャンで使用されたシェーディング補正用データのピーク値を上書き保存する。ステップ26において、保存したピーク値Dpが下限レベルと上限レベルの間に入っているか判定する。入っている場合は、ゲイン値は変更せずに、次のスキャン待ち状態となる。
【００３３】
ステップ27において、ステップ26にてピーク値Dpが下限レベルと上限レベルの間に入っていなかった場合、さらに、電源ON時からのスキャン回数があらかじめ設定しておいた閾値以上かどうか判定する。この閾値は、白レベル目標値とピーク値との差が画質に影響するか否かなどに応じて適宜決定する。ステップ28において、ステップ27にてスキャン回数があらかじめ設定しておいた閾値以上であった場合、以下の計算式から算出されるゲインを設定し、次のスキャン待ち状態となる。
G1：前回の読取時に設定されていたゲイン
G2：新たに設定されるゲイン
Dt：白レベル目標値
Dp：保存されているピーク値
G2＝G1×Dt÷Dp
【００３４】
ステップ29において、ステップ27にてスキャン回数があらかじめ設定しておいた閾値以下であった場合、ゲイン補正は行わず、読取装置に何らかの異常があることをユーザーに通知する。これは、ランプの光量が何らかの原因で異常に低下したものと考えられるからである。なお、電源ONからのランプ総点灯時間が所定値に達した時にゲインを補正するようにしてもよい。このとき、電源ONからのランプ連続点灯時間が所定値以下でピーク値が所定範囲から外れた場合に、ゲインを補正しないで使用者に装置の異常を通知する。
【００３５】
上記のように、本発明の実施例３では、画像読取装置を、ピーク値が下限レベルと上限レベルの間に入っていなかった場合で、電源ON時からのスキャン回数があらかじめ設定しておいた閾値以上であった場合、計算で求めたゲインを設定してスキャン待ち状態とする構成としたので、アンプのゲインを常に適切な値に設定でき、光量低下の異常も検出できる。
【実施例４】
【００３６】
本発明の実施例４は、連続読取要求があり、ランプ連続点灯時間があらかじめ定めてあるランプ連続点灯時間閾値よりも長かった場合、計算で求めたゲインを設定して次のスキャンを開始する画像読取装置である。
【００３７】
電源ON時は、従来と同じ通常のゲイン調整が行われる。スキャン終了時にピーク値を保存し、ランプ連続点灯時間が所定時間を越えたらゲイン補正を行う。図４のフローチャートに沿って、画像読取装置の動作を説明する。ステップ31において、通常の読取動作が開始されると、ランプを点灯する。ステップ32において、白基準板および原稿をスキャンするために、第１キャリッジが走行開始する。ステップ33〜35において、第１キャリッジが移動して、白基準板、原稿の順に読み取りが行われ、読取基板から画像処理部へとデータが送られる。画像処理部では、白基準板のデータからシェーディング補正用データを生成して、原稿領域のデータに対してシェーディング補正が行われる。
【００３８】
ステップ36において、先ほどシェーディング補正で使用したシェーディング補正用データのピークレベル（最大値）を、画像処理部にて検出し保存する。保存されたピーク値をDpとする。ピーク値Dpは常に最新のスキャンで使用されたシェーディング補正用データのピーク値を上書き保存する。ステップ37において、次の読取要求が来ている場合、ランプを消灯せずに次のスキャンを行う。
【００３９】
ステップ38において、連続読取要求があった場合、ランプ連続点灯時間（最初のスキャンでランプを点灯した時点からの時間）が、あらかじめ定めてあるランプ連続点灯時間閾値よりも長いか判定する。この閾値は、白レベル目標値とピーク値との差が画質に影響するか否かなどに応じて適宜決定する。短かった場合には、そのままゲインを補正せずに次のスキャンを開始する。
【００４０】
ステップ39において、ランプ連続点灯時間が閾値よりも長かった場合、以下の計算式から算出されるゲインを設定し、次のスキャンを開始する。
G1：前回の読取時に設定されていたゲイン
G2：新たに設定されるゲイン
Dt：白レベル目標値
Dp：保存されているピーク値
G2＝G1×Dt÷Dp
【００４１】
ステップ40において、連続読取要求が無かった場合には、ランプをOFFし、読取動作を終了する。この時、ランプ連続点灯時間をカウントしていたカウンターをリセットする。なお、ランプ消灯後から所定時間経過した場合には、前回のゲイン補正前のゲインに戻す。これは、連続点灯による一時的な光量低下が回復したとみなされるからである。
【００４２】
上記のように、本発明の実施例４では、画像読取装置を、連続読取要求があり、ランプ連続点灯時間があらかじめ定めてあるランプ連続点灯時間閾値よりも長かった場合、計算で求めたゲインを設定して次のスキャンを開始する構成としたので、アンプのゲインを常に適切な値に設定できる。
【産業上の利用可能性】
【００４３】
本発明の画像読取装置は、省エネルギー状態の待機モードがあるスキャナや複写機やファクシミリ等の画像処理装置で用いる画像読取装置として最適である。
【図面の簡単な説明】
【００４４】
【図１】本発明の実施例１における画像読取装置の動作手順を示すフローチャートである。
【図２】本発明の実施例２における画像読取装置の動作手順を示すフローチャートである。
【図３】本発明の実施例３における画像読取装置の動作手順を示すフローチャートである。
【図４】本発明の実施例４における画像読取装置の動作手順を示すフローチャートである。
【図５】従来の画像読取装置の概略構成を示す図と、電源ON直後における調整動作のフローチャートである。
【図１】
2008072169.tif 000003
【図２】
2008072169.tif 000004
【図３】
2008072169.tif 000005
【図４】
2008072169.tif 000006
【図５】
2008072169.tif 000007